(57)【要約】【課題】極めて簡単な構成の洗浄ボトルにより犬等のペットによるマーキングの異臭及びマーキング箇所の変色を防ぐことができるペット散歩用洗浄ボトルを提供することを目的とする。【解決手段】ボトル２と、ボトル２に装着される複数の貫通孔を有するキャップ３と、ボトル２の口部からボトル内部方向に設置される洗浄キット７と、ボトルに満たされた水５と、を有する洗浄ボトルであって、洗浄キット７は、消臭・除菌剤７ａと、消臭・除菌剤７ａを収納するための収納袋７ｂと、収納袋７ｂの端部に固定されたゴムパッキン７ｃから構成されることを特徴とするペット散歩用洗浄ボトル。【選択図】図３
0003187200.tif 000002
【実用新案登録請求の範囲】
【請求項１】
ボトルと、前記ボトルに装着される複数の貫通孔を有するキャップと、前記ボトルの口部からボトル内部に係留される洗浄キットと、前記ボトルに満たされた水と、を有する洗浄ボトルであって、
前記洗浄キットは、消臭・除菌剤と、前記消臭・除菌剤を収納するための収納袋と、係留紐から構成されることを特徴とするペット散歩用洗浄ボトル。
【請求項２】
ボトルと、前記ボトルに装着される複数の貫通孔を有するキャップと、前記ボトルの口部からボトル内部方向に設置される洗浄キットと、前記ボトルに満たされた水と、を有する洗浄ボトルであって、
前記洗浄キットは、消臭・除菌剤と、前記消臭・除菌剤を収納するための収納袋と、前記収納袋の端部に固定されたゴムパッキンから構成されることを特徴とするペット散歩用洗浄ボトル。
【請求項３】
前記収納袋は、網目状のネット素材で作製されることを特徴とする請求項１または２に記載のペット散歩用洗浄ボトル。
【請求項４】
前記ボトルは、市販のペットボトルまたは漂白剤用のボトルであることを特徴とする請求項１乃至３のいずれか1項に記載のペット散歩用洗浄ボトル。
【考案の詳細な説明】
【技術分野】
【０００１】
本考案は、犬のマーキング等の消臭・除菌に使用されるペット散歩用洗浄ボトルに関する。
【背景技術】
【０００２】
近年、犬等のペットを飼育する人が年々増加する傾向にある。それに伴い、犬等のペットを連れて公園等に散歩する機会も増え、その際ペットが電柱等へ放尿するいわゆるマーキングを行うこともしばしば見受けられる。この場合、ペットのマーキングで電柱等が着色されたり異臭を放つことも十分に考えられる。特に、マーキングが他人の家屋の塀等になされた場合には、その住人とのトラブルの原因になる場合も有り得る。そのため、図４（ａ）に示したようなマーキング防止用の標識６０を自己の家の周辺に設置する住人もいる。かかる事態を回避するために、例えば特許文献１には、簡易な技術で容易にかつ確実に消臭及び除菌を伴う洗浄を行うことができるペットの散歩用洗浄セットが開示されており、その内容を以下に説明する。
【０００３】
特許文献１の散歩用洗浄セットでは、図４（ｂ）に示すような袋体５１に、消臭・除菌剤５２を封入する。そして、散歩する際に、この袋体５１を開封し、携帯用ボトルに全量投入する。投入した消臭・除菌剤５２は水道水で希釈し、撹拌して溶解させる。袋体の材質は、外気との遮断を完全ならしめるために、例えばアルミ材とし、また、この袋体の端部には、開封を容易ならしめるための切り込み５３を有している。
【０００４】
携帯用ボトルは、空になったキャップ付き飲料水用ボトルをそのまま使用することが資源の再利用の観点から、例えば、アルミボトル、グラスボトル、ペットボトル等を挙げることができる。これらのうち、内容液を勢い良く放出することができ、透明で軽量である等の点から、図４（ｃ）に示すようなペットボトル５４が使用される。市販の飲料水用ペットボトルを使用する場合、キャップは市販時のものをそのまま使用することができるが、内容液を勢いよく放出されるために、キャップを台所用合成洗剤用ボトルキャップとして広く使用されているタイプのキャップ５５とする。
【０００５】
ペットの散歩に際しては、散歩時には常に片手はペットの首輪等に繋がれた鎖を握っていなければならないことから、ボトルホルダーを使用する。ボトルホルダーとしては、飲料水用のペットボトルとして知られているものを使用することができ、例えば、図４（ｄ）に示すような肩ひもを有する構造のボトルホルダー５６とする。
【先行技術文献】
【特許文献】
【０００６】
【特許文献１】特開２００２−２２３６５７号公報
【考案の概要】
【考案が解決しようとする課題】
【０００７】
しかし、上記特許文献１の洗浄セットでは、袋体５１に包装された消臭・除菌剤５２を散歩に出る前にペットボトル５４に入れて水で希釈するという作業が必要であり煩雑であった。また、粉状の消臭・除菌剤をペットボトル５の口に入れるのも手間がかかった。
【０００８】
本考案は、上記課題を解決するためになされたものであり、極めて簡単な構成の洗浄ボトルにより犬等のペットによるマーキングの異臭及びマーキング箇所の変色を防ぐことができるペット散歩用洗浄ボトルを提供することを目的とする。
【課題を解決するための手段】
【０００９】
本考案は上記目的を達成するため、以下の構成を備えるものである。
【００１０】
（１）ボトルと、前記ボトルに装着される複数の貫通孔を有するキャップと、前記ボトルの口部からボトル内部に係留される洗浄キットと、前記ボトルに満たされた水と、を有する洗浄ボトルであって、
前記洗浄キットは、消臭・除菌剤と、前記消臭・除菌剤を収納するための収納袋と、係留紐から構成されることを特徴とするペット散歩用洗浄ボトル。
【００１１】
（２）ボトルと、前記ボトルに装着される複数の貫通孔を有するキャップと、前記ボトルの口部からボトル内部方向に設置される洗浄キットと、前記ボトルに満たされた水と、を有する洗浄ボトルであって、
前記洗浄キットは、消臭・除菌剤と、前記消臭・除菌剤を収納するための収納袋と、前記収納袋の端部に固定されたゴムパッキンから構成されることを特徴とするペット散歩用洗浄ボトル。
【００１２】
（３）前記収納袋は、網目状のネット素材で作製されることを特徴とする前記（１）または（２）に記載のペット散歩用洗浄ボトル。
【００１３】
（４）前記ボトルは、市販のペットボトルまたは漂白剤用のボトルであることを特徴とする前記（１）乃至（３）のいずれか1項に記載のペット散歩用洗浄ボトル。
【考案の効果】
【００１４】
本考案によれば、極めて簡単な構成の洗浄ボトルにより犬等のペットによるマーキングの異臭及びマーキング箇所の変色を防ぐことができるペット散歩用洗浄ボトルを提供することができる。
【図面の簡単な説明】
【００１５】
【図１】実施例１のペット散歩用洗浄ボトルの構成を示す図
【図２】実施例１のペット散歩用洗浄ボトルに使用するボトルを示す図
【図３】実施例２のペット散歩用洗浄ボトルの構成を示す図
【図４】従来例のマーキング防止用の標識及びペットの散歩用洗浄セットを示す図
【考案を実施するための形態】
【００１６】
以下、本考案を実施するための形態を、実施例により詳しく説明する。
【実施例１】
【００１７】
図１は、本実施例のペット散歩用洗浄ボトル１の構成を示す図である。図１（ａ）は平面図、図１（ｂ）は縦断面図であり図１（ｃ）はペット散歩用洗浄ボトル１に使用される洗浄キット４を示す。以下では、ペット散歩用洗浄ボトルを「洗浄ボトル」と記す。
【００１８】
洗浄ボトル１の基本的な構成品は、ボトル２，キャップ３，消臭・除菌液５及び洗浄キット４である。更に、洗浄キット４は消臭・除菌剤４ａ，網目状の収納袋４ｂ及び係留紐４ｃから構成されている。ボトル２は、使用済みのペットボトルを使用すると経済的である。
【００１９】
キャップ３には複数の貫通孔３ａが設けられており、市販の飲料用ペットボトルのキャップを加工したものである。図２（ａ）に種々の大きさの飲料用ペットボトルを、図２（ｂ）に大きさの異なる漂白剤用ボトルを示す。図２（ａ）において、１０ａは飲料用ペットボトル小を、１０ｃは飲料用ペットボトル中を、１０ｂは飲料用ペットボトル大を示す。図２（ｂ）において、２０ａは漂白剤用ボトル大を、２０ｂは漂白剤用ボトル小を示す。これらのボトルは、大きさは異なるが口のネジ径は各ボトルの種類ごとに同一である。したがって、洗浄ボトルのキャップ３は各ボトルの種類ごとに１つ準備しておけば各々のボトルに使用することができる。
【００２０】
消臭・除菌液５は、洗浄キット４の消臭・除菌剤４ａが水に溶けた溶液である。この消臭・除菌液５がキャップ３の貫通孔３ａから、犬のマーキング箇所に散布されることにより、マーキング箇所の消臭・除菌が行われる。図１（ｃ）に示した洗浄キット４は、消臭・除菌剤４ａ，網目状の収納袋４ｂ，係留紐４ｃから構成される。洗浄ボトル１の使用者は、消臭・除菌剤４ａを収納袋４ｂに入れた後、係留紐４ｃを絞って収納袋の口を閉じ、洗浄キット４をボトルのネジ部に掛ける。その後、洗浄ボトルの使用者は、ボトルの口から水を所定量入れた後、キャップ３を締める。
【００２１】
なお、消臭・脱臭剤４ａは、現在トイレの水槽に使用されている芳香・脱臭・消臭剤と同一の物質を使用することができる。市販されている芳香・脱臭・消臭剤の香りと色の例を示せば以下の通りである。
【００２２】
（１）ブルーミントの香り（青色），（２）ラベンダーの香り（青色），（３）ハーブの香り（緑色），（４）グレープフルーツの香り（薄い桃色），（５）石鹸の香り（無色）。
【００２３】
特に、実験の結果（４）グレープフルーツの香り（薄い桃色）と（５）石鹸の香り（無色）が色も残らず有効であった。
【００２４】
本考案のペット散歩用洗浄ボトルによれば、極めて簡単な構成の洗浄ボトルにより犬等のペットによるマーキングの異臭及びマーキング箇所の変色を防ぐことができる。
【実施例２】
【００２５】
図３は、本実施例の洗浄ボトル８の構成を示す図である。図３（ａ）は平面図、図３（ｂ）は縦断面図、図３（ｃ），（ｄ）は洗浄キットを示す。本実施例の洗浄ボトル８は、実施例１の洗浄ボトルとは洗浄キットにおいて相違する。本実施例の洗浄キットを図３（ｃ），（ｄ）を参照しつつ以下に説明する。
【００２６】
洗浄キット７，９は、網目状の収納袋７ｂ，９ｂとゴムパッキン７ｃ，９ｃ、及び消臭・除菌剤７ａ，９ａから構成されている。収納袋７ｂ，９ｂの上側端部はリング状の２つのゴムパッキン７ｃ，９ｃの間に挟まれて固定されている。この固定は接着でも、熱融着等であってもよい。図３（ｃ），（ｄ）の洗浄キット７，９は、収納袋の長さが相違する。消臭・除菌剤７ａ，９ａの大きさ即ち長さに対応して、収納袋７ｂ，９ｂの長さが決定される。これらの洗浄キット７，９は、図３（ｂ）に示したように洗浄キットのゴムパッキン７ｃ，９ｃがボトルの口の頂部に置かれて、キャップ３によって締め付けられることによって固定される。本実施例の洗浄キット７，９は、安定してボトル２内に設置され、消臭・除菌剤７ａ，９ａをまんべんなく水に溶かすことができる。
【００２７】
本考案のペット散歩用洗浄ボトルによれば、極めて簡単な構成の洗浄ボトルにより犬等のペットによるマーキングの異臭及びマーキング箇所の変色を防ぐことができる。
【符号の説明】
【００２８】
１，８            ペット散歩用洗浄ボトル
２                ボトル
３                キャップ
３ａ              貫通孔
４，７，９        洗浄キット
４ａ，７ａ，９ａ  消臭・除菌剤
４ｂ，７ｂ，９ｂ  収納袋
４ｃ              係留紐
５                消臭・除菌液
７ｃ，９ｃ        ゴムパッキン
【図１】
0003187200.tif 000003
【図２】
0003187200.tif 000004
【図３】
0003187200.tif 000005
【図４】
0003187200.tif 000006